(57)【要約】【課題】屈曲自在の無端状のネットや駆動モータなどの高価な構成部品を用いることなく、わら（藁）などの長尺異物を良好に除去することができる精米設備の長尺異物除去装置を提供する。【解決手段】斜め下方に傾斜して配設され、被処理米を斜め下方に流れるように案内するとともに長尺異物の長さよりも小さくて被処理米が通過する通過孔５３ａを有する傾斜選別案内部５３と、前記傾斜選別案内部５３の下流出口から流れ出た長尺異物を受けて回収する長尺異物回収部５４と、傾斜選別案内部５３の通過孔５３ａを通過した被処理米を受ける被処理米回収部５５とを備えた。【選択図】図６
2014061499.tif 000002
【特許請求の範囲】
【請求項１】
投入部に投入された被処理米を搬送装置で精米機に搬送して精米処理する精米設備に設けられて、わらなどの長尺異物を除去する長尺異物除去装置であって、
斜め下方に傾斜して配設されて被処理米を斜め下方に流れるように案内するとともに長尺異物の長さよりも小さくて被処理米が通過する通過孔を有する傾斜選別案内部と、
前記傾斜選別案内部の下流出口から流れ出た長尺異物を受けて回収する長尺異物回収部と、
前記傾斜選別案内部の通過孔を通過した被処理米を受ける被処理米回収部と、
を備えたことを特徴とする精米設備の長尺異物除去装置。
【請求項２】
前記長尺異物回収部に、被処理米が通過するが前記傾斜選別案内部の通過孔よりも小さい孔部が形成され、前記被処理米回収部は、前記長尺異物回収部の孔部を通過した被処理米も受けることを特徴とする請求項１記載の精米設備の長尺異物除去装置。
【請求項３】
前記傾斜選別案内部の通過孔を有する部分が、金網で構成されていることを特徴とする請求項１または２に記載の精米設備の長尺異物除去装置。
【請求項４】
被処理米の搬送経路における前記傾斜選別案内部の上流に、斜め下方に傾斜して配設され、導入された被処理米を案内する傾斜案内部と、搬送されてきた被処理米を当接させて被処理米の流れ方向を変更するとともに搬送されてきた被処理米の流れる勢いを低下させて被処理米を前記傾斜選別案内部に案内する当接案内部とが設けられていることを特徴とする請求項１〜３の何れか１項に記載の精米設備の長尺異物除去装置。
【請求項５】
前記傾斜選別案内部がその傾斜角度を調整可能に構成されていることを特徴とする請求項１〜４の何れか１項に記載の精米設備の長尺異物除去装置。
【発明の詳細な説明】
【技術分野】
【０００１】
本発明は利用者が投入した被処理米に対して精米処理を行う精米設備に関し、特に、この精米設備に設けられて、わらなどの長尺異物を除去する長尺異物除去装置に関する。
【背景技術】
【０００２】
コイン（硬貨）や紙幣などの貨幣を投入することにより自動的に精米作業を行わせる、コイン式精米機などとも称せられる精米設備は、既に広く知られている。この精米設備は、建屋の内部が、仕切壁により、利用客が自由に行き来できる客室と、管理者や保守点検員などの限定した人しか入ることができない機械室とに仕切られている。この精米設備には、機械室内に、利用者が投入した被処理米から石などの異物を除去する石抜機や、実際に精米動作を行う精米機などが配設されているが、さらに、わら（藁）などの長尺異物を除去する長尺異物除去装置を備えたものがある（特許文献１等）。
【０００３】
特許文献１等に開示されている従来の長尺異物除去装置は、図１１〜図１４に示すように、屈曲自在で無端状のネット（金網）１０１が所定の搬送方向Ｆに移動されるコンベア（いわゆるネットコンベア）１００を、この搬送面１００ａが、精米機１０５への玄米受入口１０６を覆うように配設している。なお、無端状のネット１０１は、駆動スプロケット１０２と従動スプロケット１０３との間に架け渡され、駆動スプロケット１０２を回転させる駆動源としての駆動モータ１０４によって搬送方向Ｆに駆動される。また、コンベア１００は、その搬送面１００ａが、搬送方向下手側が上手側よりも高くなるように若干傾斜させた姿勢で配設されている。
【０００４】
被処理米である玄米は、ネット１０１を通過して、下方の玄米受入口１０６に導入される一方、藁などの長尺異物１１０は、ネット１０１に引っ掛かった状態で搬出方向（略横方向）に移動されて、搬出側などに配設された異物容器（図示せず）に送り出されるよう構成されている。
【０００５】
このように長尺異物除去装置を備えた精米設備では、わら（藁）などの長尺異物１１０（図１４参照）を良好に除去することができるので、精米設備の信頼性を向上させることができる。つまり、精米設備では、精米機に、この精米機の精米室に玄米（被処理米）を送り込むためのスクリュが配設されているが、長尺異物除去装置を備えていない精米設備では、前記スクリュにわらなどの長尺異物１１０が巻き付くなどしてスクリュが停止してしまうことがあった。これに対して、長尺異物除去装置を備えた精米設備では、わらなどの長尺異物が精米機側に送られることを防止できるので、長尺異物に起因するスクリュの停止を確実に防止できて、精米設備の信頼性を向上できる。
【先行技術文献】
【特許文献】
【０００６】
【特許文献１】特開平６−２９６８８５号公報
【発明の概要】
【発明が解決しようとする課題】
【０００７】
しかしながら、図１１〜図１４に示す従来の精米設備の長尺異物除去装置では、屈曲自在で無端状のネット（金網）１０１と、このネット１０１を駆動させるための駆動モータ１０４とが必要であるため、長尺異物除去装置としての製造コストが高くなる課題があった。
【０００８】
本発明は上記課題を解決するもので、屈曲自在の無端状のネットや駆動モータなどの高価な構成部品を用いることなく、わら（藁）などの長尺異物を良好に除去することができる精米設備の長尺異物除去装置を提供することを目的とする。
【課題を解決するための手段】
【０００９】
上記課題を解決するために本発明は、投入部に投入された被処理米を搬送装置で精米機に搬送して精米処理する精米設備に設けられて、わらなどの長尺異物を除去する長尺異物除去装置であって、斜め下方に傾斜して配設されて被処理米を斜め下方に流れるように案内するとともに長尺異物の長さよりも小さくて被処理米が通過する通過孔を有する傾斜選別案内部と、前記傾斜選別案内部の下流出口から流れ出た長尺異物を受けて回収する長尺異物回収部と、前記傾斜選別案内部の通過孔を通過した被処理米を受ける被処理米回収部と、を備えたことを特徴とする。
【００１０】
この構成により、被処理米は、傾斜選別案内部を流れる際に、この傾斜選別案内部の通過孔を通過して被処理米回収部により回収される。ここで、傾斜選別案内部は斜め下方に傾斜して配設されているので、被処理米は、傾斜選別案内部に沿って斜め下方に流れながら、徐々に通過孔を通過して被処理米回収部により回収される。これにより、長尺異物は傾斜選別案内部に沿って斜め下方に流された後に、長尺異物回収部で回収される。
【００１１】
ここで、上記構成を採用する代わりに、例えば、通過孔を有する選別部を水平に配設した場合には、被処理米が通過孔を通過する略鉛直方向の下方への流れを生じるため、被処理米とともに長尺異物も立った状態となって通過孔を通過したり、被処理米により選別部内でブリッジ状態となって流れなくなったり、長尺異物が移動しないため、長尺異物の上に被処理米が溜まって流れなくなったりする不具合を生じる。これに対して、本構成によれば、傾斜選別案内部が傾斜して配設されているので、長尺異物は傾斜選別案内部に沿って斜め下方に流れながら、長尺異物回収部で良好に回収され、また、被処理米は傾斜選別案内部を斜め下方に流れながら徐々に選別されるので、ブリッジ状態となることがない。また、長尺異物は良好に長尺異物回収部側に流れるため、長尺異物の上に被処理米が溜まって流れなくなったりする不具合も生じない。
【００１２】
また、通過孔を有する傾斜選別案内部を傾斜させて配置し、この下流に、長尺異物回収部を配置する比較的簡単で、高価な部品を有しない構造であるので、従来のように、屈曲自在で無端状のネット（金網）と駆動モータとが必要である場合と比較して、長尺異物除去装置としての製造コストを低減することができる。
【００１３】
また、本発明は、前記長尺異物回収部に、被処理米が通過するが前記傾斜選別案内部の通過孔よりも小さい孔部が形成され、前記被処理米回収部は、前記長尺異物回収部の孔部を通過した被処理米も受けることを特徴とする。
【００１４】
この構成により、被処理米の一部が、傾斜選別案内部の通過孔を通過しない場合があった場合でも、この被処理米が、長尺異物回収部の孔部を通して被処理米回収部により良好に回収される。また、この場合に、傾斜選別案内部の通過孔の大きさは、長尺異物回収部の孔部より大きいので、傾斜選別案内部の通過孔から被処理米を良好に通して選別することができる。
【００１５】
また、本発明は、前記傾斜選別案内部の通過孔を有する部分が、金網で構成されていることを特徴とする。この構成により、長尺異物除去装置としての製造コストの低減化をより確実に実現できる。
【００１６】
また、本発明は、被処理米の搬送経路における前記傾斜選別案内部の上流に、斜め下方に傾斜して配設され、導入された被処理米を案内する傾斜案内部と、搬送されてきた被処理米を当接させて被処理米の流れ方向を変更するとともに搬送されてきた被処理米の流れる勢いを低下させて被処理米を前記傾斜選別案内部に案内する当接案内部とが設けられていることを特徴とする。
【００１７】
この構成により、被処理米が前記傾斜選別案内部に導入される際に、傾斜案内部と当接案内部とにより、前もって被処理米の勢いを低下させて前記傾斜選別案内部で被処理米と長尺異物とを良好に選別できる状態にすることができる。
【００１８】
また、本発明は、前記傾斜選別案内部がその傾斜角度を調整可能に構成されていることを特徴とする。この構成により、前記傾斜選別案内部で良好に被処理米と長尺異物とを良好に選別できるように前記傾斜選別案内部の傾斜角度を調整できる。
【発明の効果】
【００１９】
本発明によれば、斜め下方に傾斜して配設されて被処理米を斜め下方に流れるように案内するとともに長尺異物の長さよりも小さくて被処理米が通過する通過孔を有する傾斜選別案内部と、前記傾斜選別案内部の下流出口から流れ出た長尺異物を受けて回収する長尺異物回収部とを備えたことにより、被処理米と長尺異物とを良好に選別できるだけでなく、長尺異物除去装置としての製造コストを低減することができる。
【００２０】
また、前記長尺異物回収部に、被処理米が通過するが前記傾斜選別案内部の通過孔よりも小さい孔部を形成し、前記被処理米回収部により、前記長尺異物回収部の孔部を通過した被処理米も受けることにより、被処理米の一部が、傾斜選別案内部の通過孔を通過しない場合があった場合でも、この被処理米を、長尺異物回収部の孔部を通して被処理米回収部により良好に回収できる。また、この場合に、傾斜選別案内部の通過孔の大きさは、長尺異物回収部の孔部より大きいので、傾斜選別案内部の通過孔から被処理米を良好に通して選別することができる。
【００２１】
また、前記傾斜選別案内部の通過孔を有する部分が、金網で構成されていると、長尺異物除去装置としての製造コストの低減化を確実に実現できる。
【００２２】
また、被処理米の搬送経路における傾斜選別案内部の上流に、当接案内部を設けたことにより、被処理米が傾斜選別案内部に導入される際に、当接案内部により前もって被処理米の勢いを低下させることができるので、傾斜選別案内部や長尺異物回収部で被処理米と長尺異物とを良好に選別できる状態にすることができて、信頼性が向上する。
【００２３】
また、前記傾斜選別案内部を、その傾斜角度を調整可能に構成することにより、前記傾斜選別案内部で良好に被処理米と長尺異物とを良好に選別できるように前記傾斜選別案内部の傾斜角度を調整できて、これによっても信頼性が向上する。
【図面の簡単な説明】
【００２４】
【図１】本発明の実施の形態に係る精米設備の正面図である。但し、利用客が出入りする出入口扉を省いた状態で示している。
【図２】同精米設備の平面図である。
【図３】図２のIII−III線矢視側面図である。
【図４】図２のIV−IV線矢視側面図である。
【図５】同精米設備において被処理米を処理する構成を概略的に示す図である。
【図６】同精米設備の長尺異物除去装置としても用いられる玄米タンクの縦断面図である。
【図７】同精米設備の玄米タンクの側面図であり、開閉窓部を開けた状態を示す。
【図８】同精米設備の玄米タンクにおける傾斜選別案内部が設けられている箇所の直ぐ上方位置で切断した平面断面図である。
【図９】同精米設備の玄米タンクにおける傾斜選別案内部を被処理米が流れる状態を簡略的に示す図である。
【図１０】（ａ）〜（ｃ）は、比較例としての水平な選別部に対して被処理米が導入された不具合状態をそれぞれ簡略的に示す図である。
【図１１】従来の精米設備の機械室を示す図である。
【図１２】同従来の精米設備の長尺異物除去装置およびその近傍箇所を示す図である。
【図１３】同従来の精米設備の長尺異物除去装置およびその近傍箇所を示す平面図である。
【図１４】同従来の精米設備の長尺異物除去装置の要部拡大図である。
【発明を実施するための形態】
【００２５】
以下、本発明の実施の形態にかかる精米設備を図面に基づき説明する。
図１〜図６などに示すように、この精米設備においても、仕切壁１により建屋２の内部が、利用客が自由に出入りできる客室３と、係員や管理人などが出入り可能な機械室４とに仕切られた構造とされている。なお、図１における５Ａは精米済みの白米を収容する白米の収容袋、図２〜図４における５Ｂは玄米などの被処理米を収納する被処理米の収容袋、６は客室３への出入口に配設されている出入口扉、７は係員や管理人などが出入りする管理用扉である。なお、被処理米の収容袋５Ｂを白米の収容袋５Ａとして兼用する場合もある。
【００２６】
機械室４には、被処理米（玄米）が投入される投入部（投入ホッパ）８の本体枠部分、投入部８内に投入された被処理米を石抜機９側に搬送する張込昇降機１０、投入された被処理米から石などの異物を取り除く石抜機９、石抜機９で異物が取り除かれた被処理米を精米機１１側に搬送する精米昇降機１２、駆動モータ２０で駆動されて実際に精米処理を行う精米機１１、精米機１１で発生した糠を糠回収袋１３側に排出するための糠排出用送風機１４や糠排出用ダクト１５Ａ、１５Ｂおよび糠排出用サイクロン１６、精米された白米を溜める白米ホッパ１９などが配設されている。また、機械室４内における精米機１１の略上方箇所に、精米機１１へ供給する被処理米を一時的に溜める精米タンク１７が配置されている。
【００２７】
さらに、石抜機９の上方位置に対応する、張込昇降機１０の被処理米の出口部分には、石抜機９へ供給する被処理米が一時的に溜められるとともにこの被処理米から、わら（藁）などの長尺異物が除去される長尺異物除去装置としても機能する玄米タンク５０が配設されている。
【００２８】
図６〜図８に示すように、長尺異物除去装置としても用いられる玄米タンク５０は、以下のように構成されている。これらの図に示すように、玄米タンク５０の外殻部をなすタンク本体５０ａが、投入部８に投入された被処理米を石抜機９側に搬送する張込昇降機１０における被処理米の出口１０ａに直接接続されている。
【００２９】
玄米タンク５０（タンク本体５０ａ内）には、斜め下方に傾斜して配設されて、導入された被処理米を案内する傾斜案内部５１と、この傾斜案内部５１によって案内された被処理米に当接して、傾斜案内部５１からの被処理米の勢いを低下させてから被処理米を反対側に案内する当接案内部５２と、傾斜案内部５１とは逆方向（図６においては右方向）の斜め下方に傾斜して配設され、被処理米を斜め下方に流れるように案内するとともに長尺異物の長さよりも小さくて被処理米が通過する多数の通過孔５３ａを有する傾斜選別案内部５３と、被処理米が通過するが傾斜選別案内部５３の通過孔５３ａよりも小さい多数の孔部５４ａが形成され、傾斜選別案内部５３の下流出口から流れ出た被処理米および被処理米に混じった長尺異物Ｘを受けて、長尺異物Ｘを回収（除去）する長尺異物回収部５４と、傾斜選別案内部５３の通過孔５３ａまたは長尺異物回収部５４の孔部５４ａを通過した被処理米を受ける被処理米回収部５５とが備えられている。なお、玄米タンク５０（タンク本体５０ａ内）における張込昇降機１０の出口１０ａの近傍箇所には、張込昇降機１０の出口１０ａから出る被処理米を傾斜案内部５１に案内する補助傾斜案内部６１も設けられている。
【００３０】
ここで、この実施の形態においては、当接案内部５２が、タンク本体５０ａの壁面５０ｂの一部とこの内壁面５０ｂに取り付けられたガイド部材５２ｂとで構成されている。そして、傾斜案内部５１によって案内された被処理米がこのタンク本体５０ａの内壁面５０ｂおよびガイド部材５２ｂからなる当接案内部５２に当接して、被処理米の勢いを低下させるとともに被処理米を反対側（この実施の形態では図６における左下方向から右下方向）に案内して、傾斜選別案内部５３に導くよう構成されている。また、傾斜選別案内部５３の通過孔５３ａを有する箇所と、長尺異物回収部５４の孔部５４ａを有する部分との両方が、金網（金網部５３ｄ、５４ｂ）で構成されている。すなわち、何れも１つの網目の寸法が長尺異物の長さよりも小さく、被処理米の長さよりも大きい寸法の金網部５３ｄ、５４ｂが用いられているが、傾斜選別案内部５３の金網部５３ｄよりも長尺異物回収部５４の金網部５４ｂ方が、目が細かいものが用いられている。
【００３１】
また、図６に示すように、傾斜選別案内部５３は、上端部両側に設けられた回動軸５３ｂを中心として、支持枠５３ｃおよび金網部５３ｄが揺動可能に構成されている。そして、支持枠５３ｃの下部側面に螺合する調整用ノブ５３ｅを、タンク本体５０ａの側面に形成した長溝（図示せず）に沿って位置調整することで、傾斜選別案内部５３の傾斜角度を調整できるよう構成されている。
【００３２】
長尺異物回収部５４は略箱形状とされ、この底面部に、多数の孔部５４ａが形成された金網部５４ｂが略水平に配設されている。また、長尺異物回収部５４は、タンク本体５０ａ内に設けられた係止枠５６に対して着脱可能に取り付けられている。さらに、タンク本体５０ａにおける長尺異物回収部５４が設けられている箇所より少し上方の箇所には、長尺異物回収部５４や傾斜選別案内部５３の金網部５３ｄを取り出すことが可能な開閉自在の開閉窓部５７が設けられ、この開閉窓部５７を開けることで、長尺異物回収部５４に溜まった長尺異物Ｘなどを取り出したり、傾斜選別案内部５３の金網部５３ｄを取り出して掃除などのメンテナンスを施したりできるよう構成されている。
【００３３】
また、タンク本体５０ａにおける張込昇降機１０の出口１０ａ近傍箇所には、傾斜案内部５１上に溜まっている被処理米の量などを確認可能な窓部５８が形成されている。この窓部５８には透光性を有する樹脂などの板材がはめ込まれているとともに、被処理米の貯留量を検知する貯留量検知センサ（いわゆるレベル計）５９も窓部５８に接して設けられている。また、傾斜選別案内部５３の通過孔５３ａまたは長尺異物回収部５４の孔部５４ａを通過した被処理米を受ける被処理米回収部５５は、タンク本体５０ａの下部をなすシュート部５０ｃにより構成されている。また、この実施の形態では、タンク本体５０ａ内にフィルタが配設された吸気部６０から流入され、玄米タンク５０の天井部に設けられた排気筒６２から排気されるよう構成されている。
【００３４】
なお、この実施の形態では、図３などに示すように、投入部８の上面開口部分である投入口４０の上方箇所には、仕切壁１から機械室４側（奥側）に窪むように一体形成されてなる投入フード４１が設けられている。そして、この投入フード４１の内部空間である投入空間部４２と客室３内の空間とが、連通開口部４３を介して連通され、この連通開口部４３が、上下方向にスライド可能に配設された開閉扉４４によって開閉されるよう構成されている。また、この精米設備では、投入口４０および投入ホッパ８の前部が仕切壁１よりも客室３側に突出されて配設されており、これに対応して、開閉扉４４が完全に閉じられた状態で、透光板４８が設けられている開閉扉下部４６が、下方側ほど大きく客室３側に延びる傾斜姿勢となるように配設されている。そして、この構成により、開閉扉４４を閉じた状態でも、透光板４８を通して、投入口４０（投入部８）内部を視認できるようになっている。なお、図３における４９は、利用者などが被処理米を収容した収容袋５Ｂを載せることが可能な載台であり、投入部８の上部よりもさらに客室３側に突出して配設されている。
【００３５】
また、図１などに示すように、客室３に臨む仕切壁１の略中央箇所（仕切壁１を正面視した場合には精米機１１の下方の箇所）には、精米した被処理米を溜める白米ホッパ１９が配設され、客室３の床面上における白米ホッパ１９の下方近傍箇所には、白米ホッパ１９の開閉シャッタを開閉する足踏み式の踏み台１９ａが配設されている。また、白米ホッパ１９や精米機１１の側方（客室３側から仕切壁１に向かって左側）には、その前面部が客室３に臨むように操作制御盤７２が配設されている。操作制御盤７２の前面部には、精米処理料金としてのコインを投入するコイン投入口７２ａや、精白度（例えば、５ぶ、７ぶ、普通、上白など）を選択する複数の精白度選択ボタン７２ｂなどが設けられている。操作制御盤７２の内部には、コインの投入の検知や精白度選択ボタン７２ｂの選択などに応じて各部分を制御する制御部７３（図２参照）が内蔵されている。
【００３６】
上記構成において、コインなどの貨幣が投入されるとともに何れかの精白度選択ボタン７２ｂが選択されると、張込昇降機１０、石抜機９、精米昇降機１２、精米機１１、糠排出用送風機１４が駆動される。そして、被処理米である玄米が利用者により投入口４０（投入部８）に投入されると、この被処理米が、張込昇降機１０により上方に送られた後、玄米タンク５０に送られて長尺異物が除去され、さらに、この後、石抜機９に送られて異物除去動作が行われ、精米昇降機１２により精米機１１に送り出されて精米機で精米処理が行われる。精米処理が終了した際には、白米が白米ホッパ１９内に排出されているので、利用者が白米ホッパ１９の下方に白米の収容袋５Ａを置いた状態で、足踏み式の踏み台１９ａを踏んで、白米の収容袋５Ａ内に白米を回収する。
【００３７】
この場合に、長尺異物除去装置としても機能する玄米タンク５０では、以下のようにして、長尺異物が除去される。図６などに示すように、まず、張込昇降機１０の出口１０ａから玄米タンク５０に被処理米である玄米が送り出されると、補助傾斜案内部６１により傾斜案内部５１上に被処理米が案内され、被処理米は傾斜案内部５１に沿って斜め下方に流れ落ちる。そして、当接案内部５２に当接することで、傾斜案内部５１からの被処理米の勢い（流れ速度）が低下（低減）されるとともに反対側に流れて傾斜選別案内部５３に案内される。
【００３８】
傾斜選別案内部５３では、この傾斜選別案内部５３に沿って被処理米が斜め下方に流れるが、傾斜選別案内部５３には多数の通過孔５３ａが形成されているので、多くの被処理米が傾斜選別案内部５３の通過孔５３ａを通過して流れ落ち、被処理米回収部５５により回収されて（タンク本体５０ａのシュート部５０ｃで集められて）石抜機９へ送られる。ここで、傾斜選別案内部５３は斜め下方に傾斜して配設されているので、被処理米は、傾斜選別案内部５３に沿って斜め下方に流れながら、徐々に通過孔５３ａを通過して被処理米回収部５５で回収される。また、図９に簡略的に示すように、傾斜選別案内部５３では、被処理米Ｙの斜め下方への流れがあるため、長尺異物Ｘは、この流れにのって下方の長尺異物回収部５４まで流れ落ち、長尺異物回収部５４で孔部５４ａを通れないため捕捉される。なお、一部の被処理米については、傾斜選別案内部５３の金網部５３ｄ上を移動して網目（通過孔５３ａ）を通らないおそれがあるが、このような被処理米を生じた場合でも、この被処理米は長尺異物回収部５４の孔部５４ａを通って被処理米回収部５５で回収される。
【００３９】
すなわち、上記構成を採用する代わりに、例えば、図１０に簡略的に示すように、通過孔８１を有する選別部８０を水平に配設した場合には、被処理米Ｙが通過孔８１をほぼ真下に通過する略鉛直方向下方への流れを生じるため、被処理米Ｙとともに長尺異物Ｘも立った状態となって通過孔８１を通過したり、多くの被処理米Ｙが選別部内に流入するためにブリッジ状態となって流れなくなったり、長尺異物Ｘが移動しないため、長尺異物Ｘの上に被処理米Ｙが積み重なって流れなくなったりする不具合を生じる。
【００４０】
これに対して、本構成によれば、傾斜選別案内部５３が傾斜して配設されているので、長尺異物Ｘは傾斜選別案内部５３に沿って斜め下方に流れながら、長尺異物回収部５４で良好に捕捉され、また、被処理米Ｙは傾斜選別案内部５３を斜め下方に流れながら徐々に選別されるので、ブリッジ状態となることがない。また、長尺異物Ｘは良好に長尺異物回収部５４側に流れるため、長尺異物Ｘの上に被処理米Ｙが溜まって流れなくなったりする不具合も生じない。
【００４１】
また、上記構成よれば、傾斜選別案内部５３の通過孔５３ａの大きさを、長尺異物回収部５１の孔部５４ａをよりも大きく形成した（大きい網目のものを採用した）ことにより、傾斜選別案内部５３の通過孔５３ａから、被処理米を良好に通すことができる。なお、傾斜選別案内部５３においては、被処理米Ｙが斜め下方に流れるため、その通過孔５３ａの大きさ（網目）が比較的大きくても、この通過孔５３ａを長尺異物Ｘが通ることは殆ど無く、通過孔５３ａを通して、被処理米Ｙを下方の被処理米回収部５５に流れ落とすよう選別することができる。
【００４２】
また、上記構成よれば、傾斜案内部５１や傾斜選別案内部５３、長尺異物回収部５４を設けて、傾斜選別案内部５３や長尺異物回収部５４に、単なる金網部５３ｄ、５４ｂを配設しただけの簡単かつ高価な部品を必要としない構成であるので、従来のように、屈曲自在で無端状のネット（金網）と駆動モータとが必要である場合と比較して、長尺異物除去装置としての製造コストを低減することができる。
【００４３】
また、被処理米の搬送経路における傾斜選別案内部５３の上流に、当接案内部５２を設けたことにより、被処理米が傾斜選別案内部５３に導入される際に、当接案内部５２により前もって被処理米の勢いを低下させることができるので、傾斜選別案内部５３や長尺異物回収部５４で被処理米と長尺異物とを良好に選別できる状態にすることができて、信頼性が向上する。
【００４４】
また、傾斜選別案内部５３がその傾斜角度を調整可能に構成されているので、傾斜選別案内部５３で良好に被処理米と長尺異物とを良好に選別できるように傾斜選別案内部５３の傾斜角度を調整できて、これによっても信頼性が向上する。
【００４５】
なお、上記実施の形態では、傾斜選別案内部５３および長尺異物回収部５４の何れも金網部５３ｄ、５４ｂを配設した構成であるので、製造コストを極めて安価に済ますことができる利点がある。しかしながら、これに限るものでは無く、例えば、パンチングなどにより孔を多数あけた板材などにより、傾斜選別案内部５３や長尺異物回収部５４の少なくとも一方を構成してもよい。また、上記の実施の形態では、被処理米が玄米である場合を述べたが、これに限るものではなく、籾摺装置を備えて、投入口に投入される被処理米が籾である精米設備にも適用できる。
【符号の説明】
【００４６】
１      仕切壁
２      建屋
３      客室
４      機械室
８      投入部
９      石抜機
１０    張込昇降機
１１    精米機
２０    駆動モータ
４０    投入口
５０    玄米タンク（長尺異物除去装置）
５１    傾斜案内部
５２    当接案内部
５３    傾斜選別案内部
５４    長尺異物回収部
５５    被処理米回収部
６１    補助傾斜案内部
【図１】
2014061499.tif 000003
【図２】
2014061499.tif 000004
【図３】
2014061499.tif 000005
【図４】
2014061499.tif 000006
【図５】
2014061499.tif 000007
【図６】
2014061499.tif 000008
【図７】
2014061499.tif 000009
【図８】
2014061499.tif 000010
【図９】
2014061499.tif 000011
【図１０】
2014061499.tif 000012
【図１１】
2014061499.tif 000013
【図１２】
2014061499.tif 000014
【図１３】
2014061499.tif 000015
【図１４】
2014061499.tif 000016